(57)【特許請求の範囲】
【請求項１】
室内の空気を循環する循環手段と、室内の空気を換気する換気手段と、室内に輻射熱を供給する輻射手段とを備えた暖房乾燥装置において、室温では空気中の水分を吸着し高温では吸着した水分を脱着して再生する性質を有する吸着剤に、前記循環手段により循環する室内の空気中の水分を吸着させ、前記輻射手段の輻射熱の一部を用いて前記吸着剤を再生して前記吸着剤から脱着した水分を前記換気手段によって室外に吐出することにより室内を除湿する除湿手段を備え、
前記輻射手段はこの上部を覆う反射板を備え、この反射板には、空気の流通を可能にするスリット穴を開口させ、
前記換気手段は換気用送風機と換気風路を備え、前記換気用送風機により前記スリット穴から室内の空気を吸気し送風して屋外に排気する前記換気風路内に、前記輻射手段からの前記スリット穴を通った輻射熱の輻射方向を変える反射部材を備え、この反射部材により、前記輻射手段の輻射熱の一部を用いて前記吸着剤を再生することを特徴とする暖房乾燥装置。
【請求項２】
吸着剤を再生する場合にのみ輻射手段の輻射熱の一部が前記吸着剤に照射するように前記輻射手段の輻射方向を調整する輻射方向調整手段を設けたことを特徴とする請求項１記載の暖房乾燥装置。
【発明の詳細な説明】
【０００１】
【発明の属する技術分野】
本発明は、主に一般家庭における室内の暖房、換気、室内もしくは室内に干した洗濯物の乾燥に使用される暖房乾燥装置に関するもので、特に浴室の暖房、換気、浴室もしくは浴室内に干した洗濯物の乾燥に使用される暖房乾燥装置に関するものである。
【０００２】
【従来の技術】
この種の暖房乾燥装置は、既に種々考案されているが、例として特開平１１−２７０８６３号公報に記載されたものが知られている。以下、その構成について図１９および図２０を参照しながら説明する。
【０００３】
図１９に示すように、浴室内の天井に設置された本体１０１に浴室内の空気を循環させる循環手段１０２と、浴室内の空気を換気する換気手段１０３と、浴室内に輻射熱を供給する輻射手段１０４と、浴室内の空気を除湿する除湿手段１０５とが設けられており、循環手段１０２は本体１０１を構成するハウジングの下部に開口した吸気口１０６と、吸気口１０６から吸気した浴室の空気をハウジングの下部に開口している吐出口１０７から吐出することを繰り返すことによって浴室内の空気を循環させる送風機１０８と、本体１０１内に設けた隔壁によって構成した循環風路１０９と、循環風路１０９の出口を構成する吐出口１０７とを備えている。
【０００４】
また、換気手段１０３は送風機１０８と、本体１０１内に設けた隔壁によって構成した除湿風路１１０と、除湿風路１１０に設けている換気切換ダンパー１１１及び再生切換ダンパー１１２と、換気切換ダンパー１１１および再生切換ダンパー１１２に接続している換気風路１１３とを備え、換気風路１１３の出口は屋外に開口したダクトに接続される排気口１１４となっている。
【０００５】
また、輻射手段１０４は、循環風路１０９中に設けた輻射ヒーター１１５と、輻射ヒーター１１５の上部を覆う反射板１１６を備えている。
【０００６】
また除湿手段１０５は除湿風路１１０中に設けている吸着剤１１７と、吸着剤１１７の上流側に設けている再生手段としての再生ヒーター１１８とを備えている。
【０００７】
なお本体１０１は、図２０に示しているように浴室内に配置されている。
【０００８】
以上のように構成された暖房乾燥装置の動作について説明すると、図示しないコントローラより換気運転の指示が出された場合は、換気切換ダンパー１１１および再生切換ダンパー１１２を作動させ換気風路１１３を開き、送風機１０８を運転させ、吸気口１０６より浴室内の空気を吸引し、換気風路１１３内を送風して排気口１１４から屋外に排気する。このため図２０に示しているように浴室に隣接している洗面所の乾燥した空気が浴室ドア１１９に設けられたグリル１２０から流入し、浴室内の湿った空気と洗面所の乾燥空気とが入れ替わり換気が進行することになる。
【０００９】
また、コントローラより暖房運転の指示が出された場合は、輻射ヒーター１１５に通電し輻射熱を発生させ、反射板１１６により輻射熱の照射方向を全て浴室内に向け、浴室に居る人体に輻射熱を照射することにより暖房を行う。
【００１０】
また、コントローラより浴室の乾燥あるいは浴室内に干されている衣類を乾燥する乾燥運転の指示が出された場合は、乾燥運転の第１工程として、前述した換気運転と輻射熱の照射を所定時間実行する。すなわち輻射ヒーター１１５に通電し輻射熱を発生させ、その輻射熱によって浴室内の壁面や床面、あるいは浴室内に干されている衣類を加熱することにより水分を蒸発させて乾燥させる。蒸発した水分は、送風機１０８の運転により吸気口１０６から吸いこまれ、換気風路１１３から排気口１１４を通って屋外に排気される。
【００１１】
この乾燥運転の第１工程を所定時間実行した後、第２工程である吸着剤１１７による除湿運転を行う。すなわち換気切換ダンパー１１１および再生切換ダンパー１１２を作動させ除湿風路１１０を開き、送風機１０８により吸気口１０６から空気を吸引して除湿風路１１０内に送風し、吸着剤１１７を通る際に除湿して吐出口１０７から浴室内に吐出させ、浴室内を循環させて再び吸気口１０６から吸引する。この循環を繰り返すことによって浴室内または浴室内に干されている衣類の乾燥が更に進行することになる。この吸着剤１１７の吸着動作は予め定められた所定の時間、すなわち吸着剤１１７の吸着能力が飽和または飽和近くに達するまで行われ、所定時間が経過すると吸着動作を終了させて再生動作に移行する。
【００１２】
再生動作は再生ヒーター１１８に通電するとともに再生切換ダンパー１１２を駆動して吸着剤１１７を通過した空気を排気口より室外に排気するもので、送風機１０８により吸気口１０６から空気を吸引し除湿風路１１０内を送風して再生ヒーター１１８により昇温して吸着剤１１７に接触させる。昇温した高温の空気によって吸着剤１１７に吸着した水分を放出させ、放出させた水分を除湿風路１１０から換気風路１１３を通して排気口１１４より屋外に排気する。この高温の空気の吸着剤１１７に対する接触を所定時間継続すれば、吸着剤１１７は再び活性を取り戻して再生する。
【００１３】
再生動作が完了したら再び吸着動作を実行し、吸着剤１１７への吸着と再生を交互に行うことによって、浴室内の乾燥または浴室内に干されている衣類の乾燥が促進することになる。
【００１４】
【発明が解決しようとする課題】
以上の例のように従来の暖房乾燥装置では、浴室内の乾燥もしくは浴室内に干されている衣類を乾燥させるために換気運転と輻射ヒーターによる暖房運転を同時に行う第１工程と、吸着剤に湿気を吸着させる吸着動作と飽和もしくは飽和近くに達した吸着剤を再生させる再生動作を交互に繰り返し行う第２工程の２つのプロセスを実行している。このような従来の構成においては、加熱による乾燥と除湿による乾燥の２段階のプロセスが必要であり、且つ、吸着動作と再生動作を交互に実行する必要があるため、浴室もしくは浴室に干された洗濯物が乾燥するまでに長い時間を要するという問題点があった。
【００１５】
また、換気運転や乾燥運転において換気風路、循環風路、除湿風路を切換えるための複数のダンパーや、浴室内の暖房を行うための輻射ヒーターとは別に吸着剤を再生させるための再生ヒーターを設けているため、構造が複雑になりコストが高くなるという問題点があった。
【００１６】
また、吸着剤に円筒状のハニカムローターを用いて、回転軸が水平になるように設ける場合には、必要吸着量に相当する吸着剤体積を確保するためハニカムローターの外径を大きくする必要があり、それに伴い製品高さが高くなって装置が大型化してしまい、天井裏に設置できない場合も有り得るという問題点があった。
【００１７】
また、浴室内の暖房を行うための輻射ヒーターと吸着剤を再生させるための再生ヒーターの２つのヒーターを設けているため、機器総合消費電力容量が増大するので電源線の線径を拡大する必要があり、施工性が悪化する可能性があるとともに、機器総合消費電力容量を抑えた場合には、ヒーターの容量を低下させる必要があり、吸着剤の再生が十分に行えず除湿性能が低下する、もしくはヒーター容量の低下に伴い暖房性能が低下するという問題点があった。
【００１８】
本発明はこのような従来の課題を解決するものであり、浴室あるいは浴室等に干された洗濯物の乾燥に要する乾燥時間の短縮を、装置が大型化することなく薄型でかつ安価な構造で実現するとともに、機器総合消費電力容量を増加させずに浴室の暖房を十分に行うことができる暖房乾燥装置および乾燥装置を提供することを目的としている。
【００１９】
【課題を解決するための手段】
本発明の請求項１記載の発明は上記目的を達成するために、室内の空気を循環する循環手段と、室内の空気を換気する換気手段と、室内に輻射熱を供給する輻射手段とを備えた暖房乾燥装置において、室温では空気中の水分を吸着し高温では吸着した水分を脱着して再生する性質を有する吸着剤に、前記循環手段により循環する室内の空気中の水分を吸着させ、前記輻射手段の輻射熱の一部を用いて前記吸着剤を再生して前記吸着剤から脱着した水分を前記換気手段によって室外に吐出することにより室内を除湿する除湿手段を備え、
前記輻射手段はこの上部を覆う反射板を備え、この反射板には、空気の流通を可能にするスリット穴を開口させ、
前記換気手段は換気用送風機と換気風路を備え、前記換気用送風機により前記スリット穴から室内の空気を吸気し送風して屋外に排気する換気風路内に、前記輻射手段からの前記スリット穴を通った輻射熱の輻射方向を変える反射部材を備え、この反射部材により、前記輻射手段の輻射熱の一部を用いて前記吸着剤を再生する構成としたものである。そして本発明によれば、浴室の暖房を行うための輻射ヒーターとは別に吸着剤を再生するための再生ヒーターを設けることなく、短時間で浴室あるいは浴室に干された洗濯物の乾燥が行える暖房乾燥装置が得られる。
【００２１】
本発明の請求項２記載の発明は、吸着剤を再生する場合にのみ輻射手段の輻射熱の一部が前記吸着剤に照射するように前記輻射手段の輻射方向を調整する輻射方向調整手段を設けた構成としたものである。そして本発明によれば、機器総合消費電力容量を増加させることなく、吸着剤の再生と浴室の暖房を十分に行うことができる暖房乾燥装置が得られる。
【００２２】
【発明の実施の形態】
以下、本発明の実施例について図面を参照しながら説明する。なお、従来例を同一の部分については、同一番号を付し詳細な説明は省略する。
【００２３】
（実施例１）
まず本発明における暖房乾燥装置の概略構成について説明する。図１は本発明の第１の実施例における暖房乾燥装置の構成を示す断面図である。図１に示したように、この暖房乾燥装置は浴室内の天井に設置された本体１０１に浴室内の空気を循環させる循環手段１０２と、浴室内の空気を換気する換気手段１０３と、浴室内に輻射熱を供給する輻射手段１０４と、浴室内の空気を除湿する除湿手段１０５とを備えている。
【００２４】
循環手段１０２は本体１０１を構成するハウジングの下部に開口した吸気口１０６と、吸気口１０６から吸気した浴室の空気をハウジングの下部に開口している吐出口１０７から吐出することを繰り返すことによって浴室内の空気を循環させる循環用送風機１と、本体１０１内に設けた隔壁によって構成した循環風路１０９と、循環風路１０９の出口を構成する吐出口１０７を備えている。
【００２５】
また、換気手段１０３はハウジングの下部に開口した吸気口１０６およびハウジングの下部に設けた反射板１１６ｂに開口したスリット穴３ｂから浴室の空気を吸気し、吸気した空気を屋外に開口したダクトに接続される排気口１１４から屋外へと排気する換気用送風機２と、本体１０１内に設けた隔壁によって構成した換気風路１１３を備えている。
【００２６】
また、輻射手段は、循環経路１０９中の吐出口１０７近傍に設けた輻射ヒーター１１５ａと、輻射ヒーター１１５ａの上部を覆う反射板１１６ａと、ハウジングの下方でかつ換気経路１１３中に設けた輻射ヒーター１１５ｂと、輻射ヒーター１１５ｂの上部を覆う反射板１１６ｂを備え、反射板１１６ａ、１１６ｂには各々空気の流通を可能にするスリット穴３ａ、３ｂを開口させている。
【００２７】
また、除湿手段１０５は循環風路１０９と換気風路１１３にまたがって配されるとともに各風路間を可動するように取付けた吸着剤１１７と、スリット穴３ｂより本体１０１内上方に照射される輻射ヒーター１１５ｂの輻射熱を吸着剤１１７の換気風路１１３内に臨む面に照射するように輻射方向を変える反射部材４を備えている。吸着剤１１７は、ゼオライト、シリカゲル、活性炭などの吸着剤が１種以上担持された素材を加工したもので、表面積の面から好ましくはハニカム状に積層して形成されたものにより構成され、反射部材４は、反射率の高いアルミ板を折り曲げたもので形成している。
【００２８】
また、図中５はフィルターで、吸気口１０６から本体１０１に流入する空気中の塵埃を取り除く機能を有している。
【００２９】
以上の構成において、次に運転動作を説明する。図示しないコントローラより換気運転の指示が出された場合は、循環用送風機１は停止、輻射ヒーター１１５ａ、１１５ｂとも通電オフとし、換気用送風機２のみ運転する。換気運転を実行している時の動作を図２に示す。図中破線矢印に示すように換気用送風機２を運転させ、吸気口１０６およびスリット穴３ｂから浴室内の空気を吸気し、換気風路１１３内を送風して排気口１１４から屋外に排気する。このため従来の暖房乾燥装置と同様に浴室に隣接している洗面所の乾燥した空気が浴室ドアに設けられたグリルから流入し、浴室内の湿った空気と洗面所の乾燥空気とが入れ替わり換気が進行することになる。
【００３０】
次にコントローラより暖房運転の指示が出された場合は、図３に示すように循環用送風機１、換気用送風機２を停止し、輻射ヒーター１１５ａおよび１１５ｂに通電して輻射熱を発生させる。図中点線矢印に示すように輻射ヒーター１１５ａおよび１１５ｂから発生した輻射熱の照射方向を反射板１１６ａおよび１１６ｂにより浴室内に向け、浴室に居る人体に輻射熱を照射することによって暖房を行う。ここで輻射ヒーター１１５ａ、１１５ｂへの通電が長時間に及び、輻射ヒーター１１５ａ、１１５ｂの温度が著しく上昇するような場合には、循環用送風機１および換気用送風機２を暖房運転に支障が出ない程度に少ない風量で運転し、スリット穴３ａ、３ｂから輻射ヒーター１１５ａ、１１５ｂの周囲に通風することにより、輻射ヒーター１１５ａ、１１５ｂを冷却して温度上昇による断線や破損を防止することができる。
【００３１】
次にコントローラより浴室の乾燥あるいは浴室内に干されている衣類を乾燥する乾燥運転の指示が出された場合は、循環用送風機１と換気用送風機２を共に運転し、輻射ヒーター１１５ａ、１１５ｂに通電する。その乾燥運転を実行しているときの動作を図４に示す。図中実線矢印ａに示すように循環用送風機１を運転して浴室内の空気をフィルター５により塵埃等を取り除いた後に吸気口１０６より本体１０１内に吸気し、循環風路１０９に送風して循環風路１０９中に介在する吸着剤１１７を通過させる。吸着剤１１７は高湿の空気が通過する際に、その空気中の水分を吸着するとともに吸着熱を与えるので吸着剤１１７通過後の空気は高温となり、しかも低湿となって吐出口１０７より浴室内に戻る。このような矢印ａに示す循環を繰り返すことにより、浴室内が除湿されるとともに温度が上昇し、浴室もしくは浴室に干された洗濯物の乾燥が促進される。特に吸着剤１１７通過後の高温低湿空気を浴室の壁や床あるいは浴室に干された洗濯物に当るように送風することにより乾燥効果が高められる。また、輻射ヒーター１１５ａ、１１５ｂは暖房運転時と同様に通電し輻射熱を発生させ、図中点線矢印ｅに示すように反射板１１６ａ、１１６ｂにより輻射熱の照射方向を浴室内に向け、浴室の壁や床、あるいは浴室内に干された洗濯物に照射することによって、浴室の壁や床についた水滴の蒸発あるいは浴室内に干された洗濯物が含んでいる水分の蒸発を促進する。また、輻射ヒーター１１５ｂから発生した輻射熱の一部は、反射板１１６ｂに設けたスリット穴３ｂを通って本体１０１内上方に照射され、破線矢印ｄに示すように反射部材４に衝突し、この反射部材４によって照射方向を吸着剤１１７の換気風路１１３内に介在する面に向けられて照射される。この照射された輻射熱により吸着剤１１７は熱されて吸着剤１１７自身が含んでいる湿気が脱着するので、吸着剤１１７は再び吸着可能な状態に再生される。この換気風路１１３における吸着剤１１７の再生と前述した循環風路１０９における吸着剤１１７への浴室内空気中の湿気の吸着を、循環風路１０９と換気風路１１３間において吸着剤１１７を連続的もしくは間欠的に可動させ同時に行うことで、浴室内の連続的な除湿が可能となる。吸着剤１１７から脱着した水分は、図中実線矢印ｂに示すように換気用送風機２を運転することによりスリット穴３ｂから本体１０１内に吸気される浴室内の空気が、換気風路１１３中に介在する吸着剤１１７を通過する際に、この浴室内の空気に混合して換気風路１１３中に送風され換気用送風機２に吸い込まれる。この浴室内の空気はスリット穴３ｂから吸気される際に輻射ヒーター１１５ｂの周囲を通過するので温度が上昇し吸着剤１１７からの湿気の脱着をより早められる。換気用送風機２は、吸着剤１１７を通過し吸着剤１１７から脱着した湿気を含んだ浴室空気と共に、図中実線矢印ｃに示すように吸気口１０６からも浴室内の空気を本体１０１内に吸気し、吸着剤１１７を通過した空気と併せて、排気口１１４より屋外に排気する。これにより浴室に隣接している洗面所の乾燥した空気が浴室ドアに設けられたグリルから流入し、浴室内の湿った空気と洗面所の乾燥空気とが入れ替わり浴室および浴室に干された洗濯物の乾燥が促進するとともに、循環風路１０９において吸着剤１１７に吸着した浴室内の湿気が屋外に排気され浴室内の除湿が行われる。
【００３２】
以上のように本実施例の暖房乾燥装置は、浴室の湿った空気と洗面所の乾燥空気を入替える換気動作と、輻射熱によって浴室の壁や床についた水滴や浴室内に干された洗濯物が含んでいる水分を蒸発させる輻射熱照射動作と、浴室内の除湿を行う除湿動作を同時に実行するとともに、除湿動作は、浴室内の空気に含まれる水分を吸着剤１１７に吸着させる吸着動作と吸着剤１１７が保有している水分を脱着させる再生動作を同時に実行し、かつ吸着剤１１７から脱着した水分を随時屋外に排気するので、浴室もしくは浴室に干された洗濯物の乾燥を十分促進し、乾燥時間を大幅に短縮できる。
【００３３】
また、吸着剤１１７の再生は輻射ヒーター１１５ｂの輻射熱の一部を用いて行うためダンパーや再生用ヒーターおよびそれらの切換装置を必要とせず、簡易な構成でコストアップも抑制できる。
【００３４】
なお、循環用送風機１は、浴室内の空気を吸気し浴室内に吐出する循環動作が行えるものであればよく、例えば、図５に示すようなクロスフローファンを用いれば空気を均一に吐出できるので、吸着剤１１７に効率よく水分を吸着させることが可能になるとともに、輻射ヒーター１１５ａの冷却を確実に行うことができる。
【００３５】
また、反射部材４は、アルミ板を曲げ加工したものを用いたが、輻射ヒーター１１５ｂから発生した輻射熱を反射して換気経路１１３内に介在した吸着剤１１７に照射できるものであればよく、例えば図６に示すようにアルミ板を曲面状に加工しても良い。
【００３６】
また、浴室もしくは浴室に干された洗濯物の乾燥を行う場合に、輻射ヒーター１１５ａ、１１５ｂの両方に通電したが、浴室内の温度が高い場合には、図７に示すように輻射ヒーター１１５ｂのみに通電し、エネルギーを節約することも可能である。また、輻射手段１０４として輻射ヒーター１１５ａ、１１５ｂおよび反射板１１６ａ、１１６ｂを各々二組設ける構成としたが、輻射熱の浴室内への照射と吸着剤１１７の再生への利用が可能な構成であれば良く、図８に示すように輻射ヒーターおよび反射板を一組とした簡易な構成としても良い。
【００３７】
また、図９に示すように輻射ヒーター１１５ａ、１１５ｂおよび反射板１１６ａ、１１６ｂの位置関係、角度を調整することにより、本体１０１の浴室における設置位置あるいは浴室内の洗い場の配置に応じて輻射熱の照射角度を最適な方向にすることも可能である。
【００３８】
また、換気用送風機２の送風量Ｑは、図１０に示すように排気口１１４と屋外とを接続するダクト長、即ち送風抵抗Ｐの変化に応じて、上下するものであるが、図１１に示すような送風量Ｑと送風抵抗Ｐの特性になるように換気用送風機２の電動機出力を制御することにより、接続ダクト長が変化しても所要の換気量が確保でき、吸着剤１１７の再生も確実に実行できるので安定した除湿性能を発揮することが可能となる。
【００３９】
また、換気用送風機２で排気する浴室の空気を吸気口１０６およびスリット穴３ｂから吸込む構成としたが、必要とされる換気量に応じて、例えば図１２に示すように、スリット穴３ｂから吸気する破線矢印ｂのみの吸気経路としても良い。更にこの場合、換気運転における換気用送風機２の風量と乾燥運転における換気用送風機２の風量を各々の運転に応じて適する風量に可変する構成とすることにより、効率的な運転が可能となる。
【００４０】
また、本体１０１を乾燥室等に設置するような暖房機能があまり要求されない場合には図１３に示すように、輻射手段１０４を取り外し、吸着材１１７を再生させるための再生手段としての再生ヒーター１１８を別途設け、換気機能と乾燥機能を有する乾燥装置の構成としても良い。
【００４１】
図１４は本体１０１の図１におけるＡ−Ａ´断面を示した図であり、図に示すように、本体１０１内に吸着剤１１７を多数の小透孔６を有する円筒形状に形成した吸着ローター７ａ、７ｂを配し、吸着ローター７ａ、７ｂを回転駆動させる駆動手段を備えている。
【００４２】
吸着ローター７ａ、７ｂは、シリカゲル、ゼオライト、活性炭等の一種または二種以上の活性無機粉体を混合し、薄いシ−ト状に加工した活性無機粉体シ−トと、この活性無機粉体シートにコルゲート加工を施した波型シートを積層して巻き上げて形成した多数の小透孔６を有する円筒型構造体であり、この吸着ローター７ａと吸着ローター７ｂを略水平方向に並ぶように配している。吸着ローター７ａ、７ｂは、自身が比較的乾燥しているときに相対的に湿度の高い空気が通過すると通過空気の湿分を吸着し、比較的湿分を多く含むときに相対的に湿度の低い空気が通過すると通過空気に湿分を放出し再生する性質を持つ。
【００４３】
また、駆動手段は、吸着ローター７ａ、７ｂの各々の外周に組み付けたローターギア８ａ、８ｂと、吸着ローター７ａ、７ｂが回転する際の各々の軸となるローターシャフト９ａ、９ｂと、通電することにより回転運動を発生させるＡＣインダクタモーター１０と、ＡＣインダクタモーター１０の回転出力軸であるモーターシャフト１１と、モーターシャフト１１に組み付けたモーターギア１２とから構成され、これらの部品要素をローターギア８ａとローターギア８ｂが噛み合い、更にロータギア８ｂとモーターギア１２が噛合うように配されている。従ってＡＣインダクタモーター１０に通電し、モーターシャフト１１を図中実線矢印ｆの方向、即ち時計回りに回転させたとすると、モーターギア１２もモーターシャフト１１に準じて時計回りに回転する。ローターギア８ｂはモーターギア１２と噛合っているので、モーターギア１２の回転に伴い図中矢印ｇの方向、即ち反時計回りに回転力が働く。吸着ローター７ｂはローターギア８ｂに組み付けられているので、ローターギア８ｂの回転力が伝達され、ローターシャフト９ｂを中心軸としてロータギア８ｂと共に反時計回りに回転する。また、ロータギア８ａはロータギア８ｂと噛合っているので、ロータギア８ｂの回転に伴い図中矢印ｈの方向、即ち時計回りに回転力が働く。吸着ローター７ａはロータギア８ａに組み付けられているので、ロータギア８ａの回転力が伝達され、ローターシャフト９ａを中心軸としてロータギア８ａと共に時計回りに回転する。このようにしてＡＣインダクタモーター１０に通電することにより、吸着ローター７ａ、７ｂの回転駆動を実現する。また、吸着ローター７ａ、７ｂの通風方向の前後を仕切る仕切板１３を設けて吸着ローター７ａ、７ｂ以外の部分の通風を抑制する構造としている。
【００４４】
以上の構成において、乾燥運転における除湿動作の詳細について図１５を用いて説明する。図１５は図１４と同じく本体１０１の図１におけるＡ−Ａ´断面を示しているが、吸着ローター７ａ、７ｂの通風方向前後において、循環風路１０９と換気風路１１３を仕切るための隔壁である風路仕切１４を便宜上、図中に現している。従って、吸着ローター７ａ、７ｂの循環風路１０９内に介在する部分は、風路仕切１４の下側に位置する半円部分であり、このエリアを吸着ゾーン１５ａ、１５ｂとする。また、吸着ローター７ａ、７ｂの換気風路１１３内に介在する部分は、風路仕切１４の上側に位置する半円部分となり、このエリアを再生ゾーン１６ａ、１６ｂとする。
【００４５】
乾燥運転においてはＡＣインダクタモーター１０に常時通電する。従って吸着ローター７ａ、７ｂは連続的に回転することになり、吸着ローター７ａ（７ｂ）の一部分に注目すると、吸着ゾーン１５ａ（１５ｂ）間と再生ゾーン１６ａ（１６ｂ）間を吸着ローター７ａ（７ｂ）の回転に応じて連続的に移動することになる。吸着ゾーン１５ａ、１５ｂでは、循環用送風機１の運転により吸着ゾーン１５ａ、１５ｂを通過する浴室空気の水分の吸着ローター７ａ、７ｂへの吸着が行われる。浴室空気の通過方向は、循環送風機１を図中実線矢印の奥側に配し、吸気した浴室空気を吐出させた場合は、吸着ゾーン１５ａ、１５ｂを実線矢印の奥から手前の方向に通過する。吸着ゾーン１５ａ、１５ｂにおいて浴室空気中の水分を吸着した吸着ローター７ａ、７ｂは、保有水分量が飽和もしくは飽和近くに達した段階で、ＡＣインダクタモーター１０の駆動に伴う回転により再生ゾーン１６ａ、１６ｂに移動する。再生ゾーン１６ａ、１６ｂにおいては、輻射ヒーター１１５ｂから発生した輻射熱の一部が反射部材４によって照射され、吸着ローター７ａ、７ｂの再生が行われる。輻射熱の照射方向は反射部材４を図中実線矢印の手前側に配した場合は、再生ゾーン１６ａ、１６ｂの実線矢印の手前側から照射される。吸着ローター７ａ、７ｂの再生に伴って吸着ローター７ａ、７ｂから脱着した水分は、換気用送風機２の運転により本体１０１内に吸気され再生ゾーン１６ａ、１６ｂを通過していく浴室空気に混合して浴室外に排気される。浴室空気の通過方向は換気用送風機２を図中実線矢印の奥側に配し、浴室空気を吸気させた場合は、再生ゾーン１６ａ、１６ｂを実線矢印の手前から奥の方向に通過する。再生ゾーン１６ａ、１６ｂにおいて再生する吸着ローター７ａ、７ｂは、再び吸着可能な状態まで十分に水分を脱着した段階で、ＡＣインダクタモーター１０の駆動に伴う回転により再び吸着ゾーン１５ａ、１５ｂに移動し浴室空気中の水分の吸着を再開する。このようにして吸着ゾーン１５ａ、１５ｂおける吸着動作と再生ゾーン１６ａ、１６ｂにおける再生動作を同時、かつ連続的に行うことにより、連続的除湿動作を可能にしている。ここで吸着ローター７ａ、７ｂの吸着ゾーン１５ａ、１５ｂにおける水分吸着度合および再生ゾーン１６ａ、１６ｂにおける水分脱着度合は、各々のゾーンを通過する空気量とその温湿度および吸着剤１１７の各々のゾーンにおける存在時間によって定まり、吸着剤１１７の各々のゾーンにおける存在時間は吸着ローター１５ａ、１５ｂの回転数により決定される。本実施例に示した構成において一般的に使用される温度で吸着ゾーン１５ａ、１５ｂにおける水分吸着度合と再生ゾーン１６ａ、１６ｂにおける水分再生度合が好適に作動する状態、即ち、吸着ゾーン１５ａ、１５ｂでは吸着剤１１７の保有水分量が飽和もしくは飽和近くに達し、再生ゾーン１６ａ、１６ｂでは吸着剤１１７が再び吸着可能な状態まで十分に水分の脱着が行われる状態を実現する吸着ローター７ａ、７ｂの回転数は毎時１８〜３０回転の範囲である。
【００４６】
以上のように本実施例の暖房乾燥装置は、乾燥運転においてＡＣインダクタモーター１０に常時通電し、吸着ローター７ａ、７ｂを連続的に回転させ、吸着ゾーン１５ａ、１５ｂにおける浴室空気の吸着ローター７ａ、７ｂへの吸着と、再生ゾーン１６ａ、１６ｂにおける吸着ローター７ａ、７ｂの再生を同時に行うとともに連続的に繰り返すことで浴室内の連続的な除湿を実現して乾燥時間の短縮を図ることができる。
【００４７】
また、吸着ローター７ａと吸着ローター７ｂを略水平方向に並ぶように配しているので高さ寸法Ｈの増長を抑制し、天井裏に寸法制限がある様々なタイプの浴室に設置することができる。本実施例では、吸着ローター７ａ、７ｂの直径は１５０ｍｍ、本体幅寸法Ｗは４００ｍｍ、本体高さ寸法Ｈは２００ｍｍとなり、殆どのタイプのユニットバスに設置することが可能である。
【００４８】
また、複数の吸着ローター７ａ、７ｂを回転させるための駆動源はＡＣインダクタモーター１０のみなので、コストアップを抑制するとともに駆動電力を低減し省エネも図れる。
【００４９】
また、仕切板１３は吸着ローター７ａ、７ｂの通風方向の前後を完全に仕切るのではなく、例えば図１６に示すように部分的に仕切っても良い。即ち、吸着ローター７ａ、７ｂの再生に要する所要風量と浴室の必要換気量が異なる場合は、開口部Ａ、開口部Ｂの開口面積にて調整し、吸着ローター７ａ、７ｂへの吸着に要する所要風量と浴室内を循環させる循環風量とが異なる場合は開口部Ｃの開口面積にて調整することにより、送風動力を効率的に使用できる。
【００５０】
なお、本実施例では、本体１０１を浴室内の天井に設置した場合について述べたが、脱衣室、ホールあるいは居室等に設置して、室内の除湿乾燥あるいは室内に干された洗濯物の除湿乾燥を行っても良い。その際、特に暖房機能が不要な場合には、図１３に示すように輻射手段１０４を取り外し、吸着剤１１７を再生させるための再生手段としての再生ヒーター１１８を別途設け、換気機能と乾燥機能を有する乾燥装置の構成としても良い。
【００５１】
また、本実施例では、吸着ローター７ａ、７ｂを連続的に回転させ、乾燥運転における連続的除湿動作を実現したが、吸着ローター７ａ、７ｂへの室内空気の吸着もしくは吸着ローター７ａ、７ｂの再生に時間を要するような空気条件下で使用する場合には、吸着ローター７ａ、７ｂを半回転毎に所定時間停止させ、時間をかけて水分の吸着と再生を行った後に再び半回転動作させるような間欠駆動を実行することにより、性能改善を図っても良い。
【００５２】
（実施例２）
本実施例において、実施例１と同一部分については同一の記号を付し、詳細な説明は省略する。
【００５３】
図１７は本発明の第２の実施例における暖房乾燥装置の構成を示した断面図である。図１７に示したように、この暖房乾燥装置は浴室内の天井に設置された本体１０１に吸着剤１１７を再生する場合にのみ輻射手段１０４の輻射熱の一部が吸着剤１１７に照射するように輻射手段１０４の輻射方向を調整する輻射方向調整手段１７を設けており、輻射方向調整手段１７は、スリット穴３ｂを開閉するため反射板１１６ｂに設けられた開閉ダンパー１８を備え、開閉ダンパー１８は、反射率の高いアルミ板を折り曲げて構成している。
【００５４】
以上の構成において、次に運転動作を説明する。図示しないコントローラより暖房運転の指示が出された場合は、図１８に示すように循環用送風機１、換気用送風機２を停止し、輻射ヒーター１１５ａおよび１１５ｂに通電して輻射熱を発生させ、開閉ダンパー１８はスリット穴３ｂを閉じるように作動させる。図中点線矢印に示すように輻射ヒーター１１５ａより発生した輻射熱の照射方向を反射板１１６ａにより浴室内に向けるとともに、輻射ヒーター１１５ｂより発生した輻射熱の照射方向を反射板１１６ｂおよび開閉ダンパー１８により浴室内に向け、浴室に居る人体に輻射熱を照射することによって暖房が行われることになる。反射板１１６ｂに設けられたスリット開口３ｂは開閉ダンパー１８により閉鎖されているため、輻射ヒーター１１５ｂより発生した輻射熱が全て浴室内に照射されるので、ヒーター容量を上げることなく十分な暖房を行うことが可能となる。
【００５５】
また、コントローラより浴室の乾燥あるいは浴室内に干されている衣類を乾燥する乾燥運転の指示が出された場合は、循環用送風機１と換気用送風機２を共に運転し、輻射ヒーター１１５ａ、１１５ｂに通電するとともに、開閉ダンパー１８をスリット穴３ｂが開放するように作動させるので、実施例１と同様に除湿動作が実行され、浴室もしくは浴室に干された洗濯物の十分な乾燥を実現する。
【００５６】
以上のように本実施例の暖房乾燥装置は、乾燥運転時は輻射熱の一部を用いて吸着剤１１７を再生して除湿動作を行い、暖房運転時には輻射熱の照射方向を全て浴室内に向け、人体に照射することにより暖房を行うので、ヒーター消費電力容量を増加させずに浴室の暖房を十分に行うことができる。
【００５７】
なお、本実施例では、本体１０１を浴室内の天井に設置した場合について述べたが、脱衣室、ホールあるいは居室等に設置して、室内の除湿乾燥あるいは室内に干された洗濯物の乾燥を行っても良い。
【００５８】
【発明の効果】
以上の実施例から明らかなように、本発明によれば、浴室の湿った空気と洗面所の乾燥空気を入替える換気動作と、輻射熱によって浴室の壁や床についた水滴や浴室内に干された洗濯物が含んでいる水分を蒸発させる輻射熱照射動作と、浴室内の除湿を行う除湿動作を同時に実行するとともに、除湿動作は、浴室内の空気に含まれる水分を吸着剤に吸着させる吸着動作と吸着剤が保有している水分を脱着させる再生動作を同時に実行し、かつ吸着剤から脱着した水分を随時屋外に排気するので、浴室もしくは浴室に干された洗濯物の乾燥を十分促進し、乾燥時間を大幅に短縮するとともに、吸着剤の再生は輻射ヒーターの輻射熱の一部を用いて行うためダンパーや再生用ヒーターおよびそれらの切換装置を必要とせず、簡易な構成でコストアップも抑制できるという効果のある暖房乾燥装置を提供できる。
【００６０】
また、乾燥運転時に輻射熱の一部を用いて吸着剤を再生して除湿動作を行い、暖房運転時には輻射熱の照射方向を全て浴室内に向け、人体に照射することにより暖房を行うので、ヒーター消費電力容量を増加させることなく浴室の暖房を十分に行うことができる効果のある暖房乾燥装置を提供できる。
【図面の簡単な説明】
【図１】本発明の実施例１の暖房乾燥装置の構成を示す断面図
【図２】同、換気運転を実行している時の動作を示す説明図
【図３】同、暖房運転を実行している時の動作を示す説明図
【図４】同、乾燥運転を実行している時の動作を示す説明図
【図５】同、クロスフローファンの構成を示す斜視図
【図６】同、反射部材の形状を変更した構成において乾燥運転を実行している時の動作を示す説明図
【図７】同、輻射ヒーターの通電を変更した構成において乾燥運転を実行している時の動作を示す説明図
【図８】同、輻射ヒーターと反射板を一組とした構成において乾燥運転を実行している時の動作を示す説明図
【図９】同、輻射ヒーターおよび反射板の取付角度を変更した構成において乾燥運転を実行している時の動作を示す説明図
【図１０】同、換気用送風機の送風量Ｑと送風抵抗Ｐの特性の一例を示した説明図
【図１１】同、換気用送風機の送風量Ｑと送風抵抗Ｐの特性の一例を示した説明図
【図１２】同、換気用送風機の吸気口を変更した構成において乾燥運転を実行している時の動作を示す説明図
【図１３】同、輻射手段を取り外し再生用ヒーターを別途設けた構成において乾燥運転を実行している時の動作を示す説明図
【図１４】同、図１におけるＡ−Ａ´断面を示した断面図
【図１５】同、図１におけるＡ−Ａ´断面に風路仕切の構成を表した説明図
【図１６】同、仕切板に開口を設けた構成において図１におけるＡ−Ａ´断面に風路仕切の構成を表した説明図
【図１７】本発明の実施例２の暖房乾燥装置の構成を示す断面図
【図１８】同、暖房運転を実行している時の動作を示す説明図
【図１９】従来の暖房乾燥装置の構成を示す断面図
【図２０】同、暖房乾燥装置を浴室に取り付けた状態を説明する説明図
【符号の説明】
１        循環用送風機
２        換気用送風機
３ａ      スリット穴
３ｂ      スリット穴
４        反射部材
５        フィルター
６        小透孔
７ａ      吸着ローター
７ｂ      吸着ローター
８ａ      ローターギア
８ｂ      ローターギア
９ａ      ローターシャフト
９ｂ      ローターシャフト
１０      ＡＣインダクタモーター
１１      モーターシャフト
１２      モーターギア
１３      仕切板
１４      風路仕切
１５ａ    吸着ゾーン
１５ｂ    吸着ゾーン
１６ａ    再生ゾーン
１６ｂ    再生ゾーン
１７      輻射方向調整手段
１８      開閉ダンパー
１０１    本体
１０２    循環手段
１０３    換気手段
１０４    輻射手段
１０５    除湿手段
１０６    吸気口
１０７    吐出口
１０９    循環風路
１１３    換気風路
１１４    排気口
１１５ａ  輻射ヒーター
１１５ｂ  輻射ヒーター
１１６ａ  反射板
１１６ｂ  反射板
１１７    吸着剤
１１８    再生ヒーター
【図１】
0004219596.tif 000002
【図２】
0004219596.tif 000003
【図３】
0004219596.tif 000004
【図４】
0004219596.tif 000005
【図５】
0004219596.tif 000006
【図６】
0004219596.tif 000007
【図７】
0004219596.tif 000008
【図８】
0004219596.tif 000009
【図９】
0004219596.tif 000010
【図１０】
0004219596.tif 000011
【図１１】
0004219596.tif 000012
【図１２】
0004219596.tif 000013
【図１３】
0004219596.tif 000014
【図１４】
0004219596.tif 000015
【図１５】
0004219596.tif 000016
【図１６】
0004219596.tif 000017
【図１７】
0004219596.tif 000018
【図１８】
0004219596.tif 000019
【図１９】
0004219596.tif 000020
【図２０】
0004219596.tif 000021